(57)【要約】ＬＴＥ・ＴＤＤ用のアップリンクＡＣＫ／ＮＡＣＫの方法はダウンリンクサブフレームである複数サブフレームを有するフレーム受信を含み、少なくとも１つのサブフレームは複数ダウンリンクサブフレームの少なくとも１つに対応するＡＣＫ／ＮＡＣＫを含むアップリンクサブフレームである。ＡＣＫ／ＮＡＣＫ送信のため複数ダウンリンクサブフレームの１つに応答してＡＣＫ／ＮＡＣＫの１つのアップリンクサブフレームが使用され、ＡＣＫ／ＮＡＣＫ応答は複数ダウンリンクサブフレームの少なくとも２つ用の一のアップリンクサブフレームへとバンドルし得る。複数フィードバック構成中複数ダウンリンクサブフレームの少なくとも２つに対応する一のアップリンクサブフレームで複数ＡＣＫ／ＮＡＣＫ応答を用い得る。ＡＣＫ／ＮＡＣＫ応答及び複数バンドリングＡＣＫ／ＮＡＣＫ応答用アップリンクサブフレームはバンドルされたフィードバック構成用である。
2012514910.tif 000002
【特許請求の範囲】
【請求項１】
複数のダウンリンクサブフレームの少なくとも１つに対応する肯定／否定（ＡＣＫ／ＮＡＣＫ）応答をアップリンクサブフレームにおいて受信することを含む方法であって、前記応答が、
前記複数のダウンリンクサブフレームのうちの１つを対象とするＡＣＫ／ＮＡＣＫか、
前記複数のダウンリンクサブフレームの少なくとも２つを対象とするバンドルされたＡＣＫ／ＮＡＣＫか、
前記複数のダウンリンクサブフレームの少なくとも２つを対象とする複数のＡＣＫ／ＮＡＣＫに対応する、方法。
【請求項２】
前記バンドルされたＡＣＫ／ＮＡＣＫ応答が、前記複数のダウンリンクサブフレームのうちの少なくとも２つから複数のＡＣＫ／ＮＡＣＫ応答の論理ＡＮＤ演算を実行することを含む、請求項１に記載の方法。
【請求項３】
バンドルされたＡＣＫ／ＮＡＣＫフィードバック構成と複数のＡＣＫ／ＮＡＣＫフィードバック構成との間で選択することをさらに含む、請求項１に記載の方法。
【請求項３】
バンドルされたＡＣＫ／ＮＡＣＫフィードバック構成と複数のＡＣＫ／ＮＡＣＫフィードバック構成とのうちの一方にユーザ機器を割り当てることをさらに含む、請求項１に記載の方法。
【請求項４】
１つのアップリンクサブフレームにある前記バンドルされたＡＣＫ／ＮＡＣＫ応答が、
サブフレームウィンドウ内で動的および半持続性ダウンリンク・スケジューリング割り当てを受信すること、
動的ダウンリンク・スケジューリング割り当てに基づいて物理アップリンク制御チャネル（ＰＵＣＣＨ）上でＡＣＫ／ＮＡＣＫを送信すること
をさらに含む、請求項１に記載の方法。
【請求項５】
複数のＡＣＫ／ＮＡＣＫ応答を使用することが、Ｎビットを送信することをさらに含み、Ｎがアップリンクサブフレームと関連付けられたダウンリンクサブフレームの数である、請求項１に記載の方法。
【請求項６】
方法であって、
１つのアップリンクサブフレームで複数のダウンリンクサブフレームを対象とするバンドリングＡＣＫ／ＮＡＣＫ応答を選択すること、
ダウンリンク・サブフレーム・ウインドウ内で動的および半持続性ダウンリンク・スケジューリング割り当てを受信すること、
動的ダウンリンク・スケジューリング割り当てを使用して物理アップリンク制御チャネル（ＰＵＣＣＨ）上でＡＣＫ／ＮＡＣＫを送信すること
を含む方法。
【請求項７】
最後に受信された動的ダウンリンク・スケジューリング割り当ての最低制御チャネル要素インデックスと、最後に受信された動的ダウンリンク・スケジューリング割り当ての最低制御チャネル要素インデックスと、最後に受信された動的ダウンリンク・スケジューリング割り当てのサブフレーム数とのうちの１つを使用してアップリンクＡＣＫ／ＮＡＣＫ  ＰＵＣＣＨインデックスを選択することをさらに含む、請求項６に記載の方法。
【請求項８】
前記ＰＵＣＣＨでＡＣＫ／ＮＡＣＫを送信することが、前記サブフレームウィンドウ内で受信された異なる数のダウンリンク・スケジューリング割り当ての各々に対応するアップリンクサブフレームで異なるシーケンスを使用することをさらに含む、請求項６に記載の方法。
【請求項９】
複数のダウンリンクサブフレームを対象とする複数のＡＣＫ／ＮＡＣＫ応答を１つのアップリンクサブフレームにおいて選択することを含む方法であって、
前記複数のサブフレームにおいてＮビットまたは２Ｎビットを送信することであって、Ｎがアップリンクサブフレームと関連付けられたダウンリンクサブフレームの数である、前記Ｎビットまたは２Ｎビットを送信することこと、
物理アップリンク制御チャネル上でチャネル品質インジケータフォーマットを使用して複数のＡＣＫ／ＮＡＣＫ応答を送信すること、
最後に受信された動的ダウンリンク・スケジューリング割り当てのインデックスおよび最低制御チャネル要素に応じて、ユーザ機器ＩＤと所与のパラメータとのうちの一方を使用して、アップリンクＡＣＫ／ＮＡＣＫ物理アップリンク制御チャネル（ＰＵＣＣＨ）インデックスを決定すること
のうちの１つを含む方法。
【請求項１０】
前記複数のサブフレームにおいてＮビット、または２Ｎビットを送信することをさらに含み、Ｎがアップリンクサブフレームと関連付けられたダウンリンクサブフレームの数である、請求項９に記載の方法。
【発明の詳細な説明】
【技術分野】
【０００１】
本発明は、一般にワイヤレス通信システムにおけるアップリンク肯定／否定メッセージに関し、特に、ロング・ターム・エボリューション（Ｌｏｎｇ  Ｔｅｒｍ  Ｅｖｏｌｕｔｉｏｎ）ワイヤレス通信システムにおける１つまたは複数のダウンリンクサブフレームに対し、サブフレーム内のアップリンク肯定／否定メッセージを、時分割複信を使用して送ることに関する。
【背景技術】
【０００２】
データフレームは複数のサブフレームを有し、それら複数のサブフレームが複数のダウンリンクサブフレームと複数のアップリンクサブフレームとを含み得ることが知られている。構成によっては、複数のダウンリンクフレーム用の肯定／否定メッセージ（ＡＣＫ／ＮＡＣＫ）を含むように構成されている場合よりもアップリンクサブフレームが少ない。
【０００３】
複数のＡＣＫ／ＮＡＣＫビットが送信されるときには、カバレッジに関する問題がある。カバレッジが限られた状況下にあるユーザ機器は、複数のサブフレームを使用してデータ受信をスケジューリングし得る。そのため、単一の肯定応答を送信するための方法として、ＡＣＫ／ＮＡＣＫバンドリングが提案されてきた。この方法だと、物理アップリンク制御チャネル（ＰＵＣＣＨ）のカバレッジを大幅に拡大することができるため、狭いカバレッジ内にあるユーザ機器は、このモードで動作するように構成され得る。このモードでは、ＡＣＫが送信される場合に、見逃されたスケジューリング割り当てが問題となる場合がある。このエラー事例を最小限に抑えるために、ｅＮｏｄｅ  Ｂは、このフィードバックモードでユーザ機器に対してスケジューリングできるダウンリンクサブフレームの数を制限したり、物理ダウンリンク制御チャネル（ＰＤＣＣＨ）送信電力を調節してＰＤＣＣＨエラーを最小限に抑えたりすることができる。
【０００４】
良好なカバレッジエリア内にあるユーザ機器の場合には、システムスループットを最大化するために、送信された複数の肯定応答に問題が存在すべきではない。それでも、ユーザ機器がダウンリンクとアップリンクとの構成に基づいて特定のビット数をフィードバックするように構成されるかどうか、あるいはユーザ機器が実際に受信したダウンリンクサブフレームの数に基づいてフィードバックする柔軟性を有するかどうかは判断する必要がある。見逃されたスケジューリング割り当てが原因で、ユーザ機器が送っている内容と、ｅＮｏｄｅ  Ｂが想定している内容とが一致しない可能性がある。セルでは１つの構成しかサポートされないため、カバレッジが影響を受ける可能性がある。
【０００５】
上記内容を鑑みると、ロング・ターム・エボリューション・ワイヤレス通信システムを対象に時分割複信（ＴＤＤ）を使用してアップリンクＡＣＫ／ＮＡＣＫを送信する方法を決定する必要性が存在する。ＴＤＤでは、複数のダウンリンクサブフレームから１つのアップリンクサブフレームＡＣＫ／ＮＡＣＫが送信されるべきである。ＡＣＫ／ＮＡＣＫバンドリングを使用できるシングルＡＣＫ／ＮＡＣＫと、複数のＡＣＫ／ＮＡＣＫという２つの公知のモードがある。両方のモードをサポートする方法、複数のＡＣＫ／ＮＡＣＫを送信する方法、およびＡＣＫ／ＮＡＣＫリソース指示情報を暗示的に送信する方法が問題として依然残っている。
【図面の簡単な説明】
【０００６】
【図１】いくつかの実施形態に従って動作するワイヤレス通信システムの一実施例である。
【図２】アップリンクサブフレームがダウンリンクサブフレームと同数以上であるフレーム構造である。
【図３】ダウンリンクサブフレームが、本発明のいくつかの実施形態に従って動作するアップリンクサブフレームよりも多いフレーム構造である。
【図４】ダウンリンクサブフレームが、いくつかの実施形態に従って動作するアップリンクサブフレームよりも多い別のフレーム構造である。
【図５】いくつかの実施形態にかかるアップリンクサブフレームよりも多くのダウンリンクサブフレームが存在するフレームでＡＣＫ／ＮＡＣＫ応答を提供するための方法を表すフローチャートである。
【図６】いくつかの実施形態にかかるバンドルされたＡＣＫ／ＮＡＣＫ応答を使用した１サブフレームフィードバックの動作を表すフローチャートである。
【図７】いくつかの実施形態にかかる複数のＡＣＫ／ＮＡＣＫ応答を使用したＮ個サブフレームフィードバックの動作を表すフローチャートである。
【図８】いくつかの実施形態にかかる最低ＣＣＥインデックスに結び付けられたＡＣＫ／ＮＡＣＫリソース指示情報を表すブロック図である。
【図９】最低ＣＣＥインデックスと第１のスケジューリング割り当てのダウンリンクサブフレームとに結び付けられたＡＣＫ／ＮＡＣＫリソース指示情報を表すブロック図である。
【図１０】最低ＣＣＥインデックスと第１のスケジューリング割り当てのサブフレーム群のダウンリンクとに結び付けられたＡＣＫ／ＮＡＣＫリソース指示情報を表すブロック図である。
【発明を実施するための形態】
【０００７】
添付の図面において、同じ参照番号は、図が異なっても同一または機能上同様の要素に言及し、下記の詳細な説明と共に本明細書に組み込まれ、明細書の一部を形成する。これらの図面は、各種実施形態をさらに例示し、本発明にかかるすべての各種原理と効果とを説明する役割を果たす。
【０００８】
当業者であれば、図内の要素が簡潔化と明瞭化のために例示されており、必ずしも正しい尺度で描かれてはいないことが理解されよう。例えば、図内の一部の要素の寸法は、本発明の実施形態に関する理解度向上を促すために、他の要素に対して誇張されている場合がある。
【０００９】
本発明にかかる実施形態について詳細に説明する前に、これらの実施形態が、主として、ロング・ターム・エボリューション（Ｌｏｎｇ  Ｔｅｒｍ  Ｅｖｏｌｕｔｉｏｎ：ＬＴＥ）時分割複信（ＴＤＤ）ワイヤレス通信ネットワークを対象とするアップリンク肯定応答／否定応答（ＡＣＫ／ＮＡＣＫ）の方法に関連した方法ステップと装置構成部品との組み合わせに属するという点に注意すべきである。そのため、装置構成部品および方法ステップは、慣習的な記号によって図面に適宜表されており、本明細書の記載内容の便益を有する当業者にとって容易に明らかであろう詳細によって本開示を不明瞭にすることのないよう、本発明の実施形態の理解に関わる具体的な詳細だけを示している。
【００１０】
本書において、第１および第２、最上部および最下部などの関係的用語が使用されている場合には、ある事物または行為と別の事物または行為とを区別することだけを目的に使用されており、必ずしも、かかる事物または行為の間の実際の関係や順序を必要としたり、示唆したりすることはない。「備える」、「含む」、またはこれらの用語のその他いかなる変形も、一連の要素を備えるプロセス、方法、物品または装置が、それらの要素だけを含むのではなく、明示的に列記されていない他の要素や、かかるプロセス、方法、物品または装置に固有の他の要素を含み得るように、非排他的な包含を網羅するものと意図される。「…を備える」によって表される要素は、その要素を備えるプロセス、方法、物品、または装置に付加的な同一の要素が存在することを排除せず、他の制約も受けない。
【００１１】
本明細書に記載されている本発明の実施形態が、１つもしくは複数の従来型プロセッサと、その１つもしくは複数のプロセッサを制御して、特定の非プロセッサ回路と連動しながら、本明細書に記載されているＬＴＥ  ＴＤＤワイヤレス通信ネットワークを対象とするアップリンクＡＣＫ／ＮＡＣＫの方法の機能の一部、大半、またはすべてを実装する固有の記憶されたプログラム命令から成る場合があることが理解されよう。非プロセッサ回路は、無線受信機と、無線送信機と、信号ドライバと、クロック回路と、電源回路と、ユーザ入力デバイスとを含み得るが、これらに限定されない。そのため、これらの機能は、ＬＴＥ  ＴＤＤワイヤレス通信ネットワークを対象とするアップリンクＡＣＫ／ＮＡＣＫの方法を実行する方法のステップと解釈され得る。あるいは、一部またはすべての機能が、記憶されたプログラム命令を有しない状態機械によって実装できるか、または各機能あるいはそれらの機能の特定の組み合わせがカスタムロジックとして実装されている１つもしくは複数の特定用途向け集積回路（ＡＳＩＣ）で実装できる可能性もある。もちろん、これら２つの手法の組み合わせも使用できる可能性がある。そのため、これらの機能のための方法および手段について本明細書で説明した。さらに、当業者であれば、本明細書に開示される概念と原理とによって導かれた場合に、使用可能時間、現在の技術、および経済的考慮事項等によって動機付けされる相当の労力と多数の形状の選択肢にもかかわらず、かかるソフトウェア命令およびプログラムとＩＣとを、最低限の実験で容易に生成できるであろうと予想される。
【００１２】
一実施形態では、ＬＴＥ  ＴＤＤを対象とするアップリンクＡＣＫ／ＮＡＣＫのための方法が存在する。この方法は、複数のサブフレームを有するフレームを受信することを含み、複数のサブフレームはダウンリンクサブフレームであり、少なくとも１つのサブフレームはアップリンクサブフレームである。１つのアップリンクサブフレームは、複数のダウンリンクサブフレームのうちの少なくとも１つに対応する肯定／否定応答（ＡＣＫ／ＮＡＣＫ）を含むことができる。ＡＣＫ／ＮＡＣＫを送信するために、複数のダウンリンクサブフレームのうちの１つに応答してＡＣＫ／ＮＡＣＫ用の１つのアップリンクサブフレームが使用される。加えて、ＡＣＫ／ＮＡＣＫ応答は、複数のダウンリンクサブフレームのうちの少なくとも２つを対象とする１つのアップリンクサブフレームへとバンドルすることができる。一実施形態では、複数のフィードバック構成における複数のダウンリンクサブフレームのうちの少なくとも２つに対応する１つのアップリンクサブフレームで複数のＡＣＫ／ＮＡＣＫ応答を使用することができる。ＡＣＫ／ＮＡＣＫ応答および複数のバンドリングＡＣＫ／ＮＡＣＫ応答用の１つのアップリンクサブフレームは、バンドルされたフィードバック構成を対象とする。
【００１３】
一実施形態では、この方法が、バンドルされたフィードバック構成と、Ｎサブフレームなどの複数のフィードバック構成との間で選択することを含んでも良い。本実施形態では、バンドルされたフィードバック構成が、１ビットの物理アップリンク制御チャネルフォーマット（ＰＵＣＣＨ）と２ビットのＰＵＣＣＨフォーマットとのうちの一方を含む。さらに、複数のフィードバック構成は、チャネル品質インジケータ送信構成を使用する。
【００１４】
１つのアップリンクサブフレームにおけるバンドルされた複数のＡＣＫ／ＮＡＣＫ応答では、割り振られたダウンリンクサブフレームを対象とするＡＣＫ／ＮＡＣＫ応答用に１ビット使用される。アップリンクサブフレームは、サブフレームウィンドウ内で動的（ｄｙｎａｍｉｃ）および半持続性（ｓｅｍｉ−ｐｅｒｓｉｓｔｅｎｔ）ダウンリンク・スケジューリング割り当てを受信し、動的ダウンリンク・スケジューリング割り当てを使用して物理アップリンク制御チャネル（ＰＵＣＣＨ）上でＡＣＫ／ＮＡＣＫを送信する。本実施形態では、半持続性ダウンリンク・スケジューリング割り当ては無視され、アップリンクＡＣＫ／ＮＡＣＫ  ＰＵＣＣＨインデックスが、最後に受信された動的ダウンリンク・スケジューリング割り当て用の最低制御チャネル要素インデックスを使用して割り当てられる。最後に受信された動的ダウンリンク・スケジューリング割り当ては、すべての動的ダウンリンク・スケジューリング割り当てが受信されたことを示す。加えて、ＡＣＫ／ＮＡＣＫはＰＵＣＣＨで送信され、ＰＵＣＣＨ上のＡＣＫ／ＮＡＣＫの異なる構成の各々に対応するアップリンクサブフレームで異なるシーケンスを使用することを含む。
【００１５】
複数のＡＣＫ／ＮＡＣＫ応答は、複数のサブフレーム内のビット数のうちの１つと、複数のサブフレームにおけるビット数の２倍とを送信することを含む。加えて、この複数のＡＣＫ／ＮＡＣＫ応答は、物理アップリンク制御チャネル上でチャネル品質インジケータ送信構成を使用してＡＣＫ／ＮＡＣＫ応答を送信することも含む。この方法は、複数のサブフレームにおけるビット数のうちの１つと、複数のサブフレームにおけるビット数の２倍とを送信することができる。この複数のＡＣＫ／ＮＡＣＫ応答は、最後に受信された動的ダウンリンク・スケジューリング割り当て用のインデックスおよび最低制御チャネル要素に応じて、ユーザ機器ＩＤと所与のパラメータとのうちの一方を使用して、アップリンクＡＣＫ／ＮＡＣＫの物理アップリンク制御チャネル（ＰＵＣＣＨ）インデックスを決定することも含む場合がある。
【００１６】
図１を参照すると、ワイヤレス電気通信システム１００が示されている。システム１００は、ｅＮｏｄｅ  Ｂ  １０２によって区画されるセル内で動作する複数のユーザ機器１０４にワイヤレス通信を提供する複数の基地局またはｅＮｏｄｅ  Ｂ  １０２を含む。ｅＮｏｄｅ  Ｂ  １０２とユーザ機器１０４との間でのワイヤレス通信は、ＵＭＴＳ、ＬＴＥ、およびＷｉＭａｘ  ８０２．１６標準プロトコルなど、公知かつ開発中の規格に従って動作する。加えて、ｅＮｏｄｅ  Ｂ  １０２とユーザ機器１０４との間でのワイヤレス通信は、時分割複信（ＴＤＤ）技術を使用する。
【００１７】
理解されるとおり、ｅＮｏｄｅ  Ｂ  １０２は、プロセッサ１１２と、メモリ１１４と、アンテナ１１６とを含む。同様に、ユーザ機器１０４も、プロセッサ１１８と、メモリ１２０と、アンテナ１２２とを含む。ｅＮｏｄｅ  Ｂ  １０２およびユーザ機器１０４は、標準的なプロトコル方式と、本明細書に記載されている方法および手順とに従って、プロセッサ１１２および１１８と、メモリ１１４および１２０と、アンテナ１１６および１２２とをそれぞれ使用して互いにメッセージを送信および受信する。これらの方法に従い、アップリンクチャネル１２４上でユーザ機器１０４からｅＮｏｄｅ  Ｂ  １０２にメッセージが送信される。同じくこれらの方法に従い、ダウンリンクチャネル１２６上でｅＮｏｄｅ  Ｂ  １０２からユーザ機器１０４にメッセージが送信される。
【００１８】
ＴＤＤでは、ダウンリンクサブフレームよりも多くのアップリンクサブフレームを有する割り振りの場合に、一部のアップリンクサブフレームがＡＣＫ／ＮＡＣＫリソースでプロビジョニングされないように、アップリンクサブフレームがダウンリンクサブフレームと一致する場合がある。この構成の実施例が図２に示されており、そこではフレーム２００がサブフレーム２０２〜２２０を有し、２０２、２０４、２１２、２１４がダウンリンクサブフレームとして、２０６、２０８、２１０、２１６、２１８、２２０がアップリンクサブフレームとして明示されている。
【００１９】
図３および図４は、アップリンクサブフレームよりも多くのダウンリンクサブフレームを有するダウンリンク／アップリンクサブフレーム割り振りを表している。したがって、ここでは、特定セットのダウンリンクサブフレームにＡＣＫ／ＮＡＣＫ物理アップリンク制御チャネルをバンドルすることが開示されている。図３は、ＤＬが６個、ＵＬが４個という割り振りを示し、図４はＤＬが７個、ＵＬが２個という割り振りを示している。他のダウンリンク／アップリンク割り振りおよび他のフレームサイズも使用することができる。
【００２０】
図３は、アップリンクチャネル１２４及びダウンリンクチャネル１２６上でメッセージを送信するのに使用されるフレーム構造３００、３２２を表している。確認されるとおり、フレーム３００は複数のサブフレーム３０２〜３２０を含む。図３では、１０個のサブフレームがフレーム３００、３２２で使用されているが、フレームは任意の数のサブフレームを有し得ることが理解されよう。各サブフレーム３０２〜３２０は、アップリンクサブフレーム３０６、３０８、３１６、３１８（Ｕと明示）またはダウンリンクサブフレーム３０２、３０４、３１０、３１２、３１４および３２０（ＤまたはＳと明示）で表すことができる。図４にはフレーム４００、４２２が示されており、以下で詳述するとおり、ＡＣＫ／ＮＡＣＫにダウンリンクサブフレーム４０２、４０４、４１０、４１２、４１４、４１６、４１８、４２０を提供するためにアップリンクサブフレーム４０６および４０８が割り振られている。
【００２１】
図３および４に示すサブフレームの割り振りは、ＡＣＫ／ＮＡＣＫバンドリングと複数のＡＣＫ／ＮＡＣＫ動作モードとの両方に使用することができる。ＡＣＫ／ＮＡＣＫバンドリングでは、割り振られたすべてのダウンリンクサブフレームに対しアップリンクサブフレームがＡＣＫを提供するとＡＣＫが送られるように、ダウンリンクサブフレームの各々のＡＣＫ／ＮＡＣＫが論理ＡＮＤ演算を使用する。割り振られたすべてのサブフレームに対しアップリンクサブフレームが少なくとも１つのＮＡＣＫを提供すると、ＮＡＣＫが送られる。複数のＡＣＫ／ＮＡＣＫでは、アップリンクサブフレームで異なるビット構成を使用して、割り振られたダウンリンクサブフレームのＡＣＫ／ＮＡＣＫが表される。図３を参照すると、サブフレーム３１６における００というビット構成は、両ダウンリンクサブフレーム３０２、３０４のＡＣＫを表し、ビット構成０１は、サブフレーム３０２のＡＣＫとサブフレーム３０４のＮＡＣＫとを表し、ビット構成１０は、サブフレーム３０２のＮＡＣＫとサブフレーム３０４のＡＣＫとを表し、ビット構成１１は、両サブフレーム３０２、３０４のＮＡＣＫを表す。異なるアップリンク／ダウンリンクサブフレームの割り振りに対し、異なるビット構成を使用することができる。
【００２２】
図５を参照すると、フレームでＡＣＫ／ＮＡＣＫ応答を提供するための方法５００が示されており、ここではアップリンクサブフレームよりも多くのダウンリンクサブフレームが存在する。ユーザ機器１０３には、２つのモードのうちの少なくとも１つが提供される（５０２）。２つのモードが提供されている場合には、ユーザ機器が２つの動作モードのうちの一方を選択する（５０４）。一実施形態では、ユーザ機器１０４が、呼び出しセットアップ時にｅＮｏｄｅ  Ｂ  １０２からメッセージを受信する（５０６）。受信されたメッセージはユーザ機器に対し、ＡＣＫ／ＮＡＣＫバンドリングを使用する１サブフレームフィードバックか、複数のＡＣＫ／ＮＡＣＫを使用するＮサブフレームフィードバックを指定する（５０８）。理解されるとおり、ユーザ機器は、バンドルされたＡＣＫ／ＮＡＣＫフィードバック構成と複数のＡＣＫ／ＮＡＣＫフィードバック構成とのどちらかに割り当てられ、このユーザ機器は、チャネル条件に基づき、バンドルされたＡＣＫ／ＮＡＣＫフィードバック構成と複数のＡＣＫ／ＮＡＣＫフィードバック構成との間で構成される。
【００２３】
開示されるとおり、１サブフレームフィードバックでは、ｅＮｏｄｅ  Ｂ  １０２が、図２に示すとおり、１つのダウンリンクサブフレームをＡＣＫ／ＮＡＣＫ応答ウィンドウ内でユーザ機器１０４にスケジューリングするように制限されている。あるいは、１サブフレームフィードバックでは、ｅＮｏｄｅ  Ｂ  １０２がアップリンク用の複数のダウンリンクサブフレームをスケジューリングしたときに、ユーザ機器がアップリンクサブフレーム内のバンドルされたＡＣＫ／ＮＡＣＫを受信する。一実施形態では、１サブフレームフィードバックにより、ユーザ機器がＰＵＣＣＨフォーマット０またはＰＵＣＣＨフォーマット１を使用するように構成される。ＰＵＣＣＨフォーマット０では、１ビットがアップリンク制御チャネルで使用される。ＰＵＣＣＨフォーマット１では、２ビットがアップリンク制御チャネルで使用される。Ｎサブフレームフィードバックでは、最大Ｎ個のダウンリンクサブフレームのＡＣＫ／ＮＡＣＫが複数を使用してＡＣＫ／ＮＡＣＫ応答を表すようにユーザ機器１０４が構成されている。Ｎサブフレームフォーマットで構成されたユーザ機器は、ＰＵＣＣＨ  ０、１または２フォーマットを使用する。ＰＵＣＣＨフォーマット２は、チャネル品質（ＣＱＩ）送信構成に対応する。
【００２４】
図３を参照すると、アップリンクサブフレームがどのようにして複数のダウンリンクサブフレームにＡＣＫ／ＮＡＣＫバンドリングを提供可能であり、また、どのようにしてその複数のダウンリンクサブフレームに複数のＡＣＫ／ＮＡＣＫを提供可能であるかの構成例が示されている。矢印３２２は、アップリンクサブフレーム３１６がダウンリンクサブフレーム３０２、３０４にＡＣＫ／ＮＡＣＫを提供することを示している。矢印３２４は、アップリンクサブフレーム３１８がダウンリンクサブフレーム３１０にＡＣＫ／ＮＡＣＫを提供することを示している。矢印３２６は、次のフレーム３３０内のアップリンクサブフレーム３２８がダウンリンクサブフレーム３１２、３１４にＡＣＫ／ＮＡＣＫメッセージを提供し、矢印３３２は、ダウンリンクサブフレーム３２０にＡＣＫ／ＮＡＣＫメッセージを提供することを示している。アップリンクサブフレームが複数のダウンリンクサブフレームにＡＣＫ／ＮＡＣＫメッセージを提供する構成は、フレーム内のアップリンクおよびダウンリンクサブフレームの数と関係とによって変わり得る。
【００２５】
図４は図３と似ている。フレーム４２２内のアップリンクサブフレーム４０６からの矢印４２４は、フレーム４００内のダウンリンクフレーム４０２、４０４、４１０、４１２に対応するＡＣＫ／ＮＡＣＫ応答を提供する。フレーム４２２内のアップリンクサブフレーム４０８からの矢印４２６は、ダウンリンクフレーム４１４、４１６、４１８および４２０に対応するＡＣＫ／ＮＡＣＫ応答を提供する。上記のとおり、図４に示す割り振りは、１サブフレームフィードバックまたはＡＣＫ／ＮＡＣＫバンドリングとＮサブフレームフィードバックまたは複数のＡＣＫ／ＮＡＣＫとの両方に適用される。
【００２６】
図６は、バンドルされたＡＣＫ／ＮＡＣＫ応答を使用した１サブフレームフィードバックの動作を表すフローチャート６００である。まず、ユーザ機器１０４が、バンドルされたＡＣＫ／ＮＡＣＫ応答を使用して、ｅＮｏｄｅ  Ｂ  １０４から動作指示を受け（６０２）、それによってアップリンクサブフレームが、ＰＵＣＣＨフォーマット０またはＰＵＣＣＨフォーマット１を使用して複数のダウンリンクサブフレームを対象とするＡＣＫ／ＮＡＣＫをバンドルする。限られたビット数を使用して、複数のダウンリンクサブフレームのＡＣＫ／ＮＡＣＫは論理ＡＮＤ演算を使用し、割り振られたアップリンクサブフレームで伝達される。一実施形態では、ユーザ機器１０４が、ダウンリンクウィンドウ内で動的または半持続性ダウンリンク・スケジューリング割り当てを受信する（６０４）。ユーザ機器は、ダウンリンクウィンドウ内で動的と半持続性ダウンリンク・スケジューリング割り当てとの両方を受信することもできる。ダウンリンクウィンドウは、アップリンクサブフレームに割り振られているダウンリンクサブフレームである。例えば、ダウンリンクウィンドウは、アップリンクサブフレーム３１６に対応するサブフレーム３０２と３０４とを含むか、アップリンクサブフレーム４０６に対応するサブフレーム４０２、４０４、４１０、４１２を含む。半持続性ダウンリンク・スケジューリング割り当てでは、データの受信予定サブフレーム内の領域を明示するメッセージをユーザ機器１０４が受信し、そのデータは、その後すべてのサブフレームで、そのサブフレームのその領域に入る。動的ダウンリンク・スケジューリング割り当てでは、ユーザ機器１０４が、データの受信予定ダウンリンク内の領域を明示するすべてのサブフレームの前に、ｅＮｏｄｅ  Ｂ  １０２からスケジューリング付与（ｇｒａｎｔ）を受信する。
【００２７】
半持続性ダウンリンク・スケジューリング割り当てでは、ユーザ機器１０４が、制御チャネル要素（ＣＣＥ）を使用して（６０６）、その割り当てからメッセージを受信する。ＣＣＥはフレーム内のサブキャリアまたはサブフレームの集合であり、ダウンリンクサブフレームの割り振りをアップリンクサブフレームに指定する。動的ダウンリンク・スケジューリング割り当てでは、各動的付与が複数のＣＣＥで構成されており、ＣＣＥの１つが選択される必要がある（６０８）。ユーザ機器は、フレームにおいて受信された複数の動的ダウンリンク・スケジューリング割り当てから、最後に受信された動的付与を選択する（６１０）。ユーザ機器は、最後に受信された動的付与を使用して、すべての動的付与を受信したことをｅＮｏｄｅ  Ｂ  １０２に知らせる。最後に受信された動的付与から、ユーザ機器は、提供された最低ＣＣＥインデックスを選択する（６１２）。
【００２８】
動的および半持続性ダウンリンク・スケジューリング割り当てが同じウィンドウで使用される場合には、動的ダウンリンク・スケジューリング割り当てが選択される（６１４）。したがって、半持続性ダウンリンク・スケジューリング割り当ては無視される。上記のとおり、最低ＣＣＥインデックスが動的付与から選択される。ユーザ機器１０４はその後、選択された最低ＣＣＥと、最後に受信された動的付与のダウンリンクサブフレーム数とに基づいて、ＰＵＣＣＨ用のアップリンクＡＣＫ／ＮＡＣＫインデックスを決定する。
【００２９】
図７は、Ｎサブフレームフィードバックまたは複数のＡＣＫ／ＮＡＣＫ応答の動作を表すフローチャート７００である。ユーザ機器１０４は、Ｎまたは２Ｎ個のダウンリンクサブフレームを送信するが（７０２）、ここでＮは、スケジューリングされた実際のサブフレームの数に関係なく、アップリンクサブフレームと関連付けられたダウンリンクサブフレームの数である。ユーザ機器は、ＭＩＭＯ動作で２Ｎビットを使用する。ＭＩＭＯ動作で使用しない場合、ユーザ機器はサブフレームでＮビットを使用する。Ｎまたは２Ｎビットの受信に対し、ｅＮｏｄｅ  Ｂ  １０２は、そのビット数を使用して（７０４）、指定されたアップリンクサブフレーム割り振り内のユーザ機器１０４にＡＣＫ／ＮＡＣＫ応答を提供する。指定されるアップリンクサブフレームは、呼び出し準備のとき、またはバンドルされたＡＣＫ／ＮＡＣＫ応答についての上記説明のとおりに決定される。このＮまたは２Ｎビットは、アップリンクサブフレームが応答を提供する対象である複数のダウンリンクサブフレームに対して異なるＡＣＫ／ＮＡＣＫ割り振りを指定するように、異なるシーケンスで構成されている。ｅＮｏｄｅ  Ｂ  １０２はＰＵＣＣＨフォーマット２を送信することもできる（７０６）。このフォーマットは、ＣＱＩフォーマット処理を使用してＡＣＫ／ＮＡＣＫ応答を指定する。ＰＵＣＣＨフォーマット２における異なるビットシーケンスを使用して、アップリンクサブフレームが応答を提供する対象である複数のダウンリンクサブフレームに対して異なるＡＣＫ／ＮＡＣＫ割り振りを指定することができる。あるいは、ユーザ機器１０４は、ユーザ機器ＩＤと、ダウンリンク割り当てに関する所与の明示的なパラメータとに基づいて、またはダウンリンクサブフレームの最低ＣＣＥを決定することによって、アップリンクＡＣＫ／ＮＡＣＫ  ＰＵＣＣＨインデックスを決定する（７０８）。
【００３０】
前述のとおり、ＡＣＫ／ＮＡＣＫリソース指示情報は、ダウンリンク・スケジューリング割り当てを形成する目的で使用される最低ＣＣＥインデックスに結び付けることができる。ＴＤＤの場合、ユーザ機器１０４は、同じＡＣＫ／ＮＡＣＫ応答ウィンドウ内の異なるダウンリンクサブフレームでいくつかの割り当てを受信し得る。そのため、ＡＣＫ／ＮＡＣＫリソース指示情報は、第１のスケジューリング割り当ての最低ＣＣＥインデックスにマッピングされる。これにより、スケジューリングウインドウ内の後続のダウンリンクサブフレームでｅＮｏｄｅ  Ｂが物理ダウンリンク制御チャネル（ＰＤＣＣＨ）の開始ＣＣＥとしてそのＣＣＥを使用することができなくなる。その結果、ＣＣＥブロックのためにスケジューリングが難しくなる可能性があるが、プロビジョニングする必要のあるＡＣＫ／ＮＡＣＫリソースは最も少なくなる。この処理の一実施例を図８で確認することができる。
【００３１】
ＡＣＫ／ＮＡＣＫリソース指示情報は、第１のスケジューリング割り当ての最低ＣＣＥインデックスとＤＬサブフレームとに結び付けることもできる。これが図９に表されている。この場合、ＣＣＥブロックについてはまったく問題はないが、多量のＡＣＫ／ＮＡＣＫ  ＰＵＣＣＨリソースをプロビジョニングする必要がある。そのため、特にＤＬまたはＵＬのアンバランスが大きい割り振りの場合に、オーバーヘッドが大きくなることがある。
【００３２】
さらに、ＡＣＫ／ＮＡＣＫリソース指示情報は、最低ＣＣＥインデックスと第１のスケジューリングされた割り当てのダウンリンクサブフレーム群とに結び付けることができる。これが図１０に示されている。この方法は、他の記載方法を混成した方法であり、潜在的なダウンリンクサブフレームが複数の群に分割され、各群が一意のＡＣＫ／ＮＡＣＫ  ＰＵＣＣＨ領域にマッピングされる。これにより、ＡＣＫ／ＮＡＣＫリソースの数が効果的に減少すると同時に、ＣＣＥブロックの問題も軽減される。図１０に表されているオプションにより、ｅＮｏｄｅ  Ｂ  １０２が群サイズを適切に定めることによって図８および９の他のオプションを移植できなくなるということはない。１つのフィードバックで伝達できる肯定応答の数も制限することが望ましい。そのため、複数のＡＣＫ／ＮＡＣＫ  ＰＵＣＣＨ領域は、ダウンリンクサブフレーム群と関連付けられた各々の領域によって区画されるべきである。これは、ユーザ機器を１つのダウンリンクサブフレーム群内でのみスケジューリング可能とするスケジューリング制限を示唆する。
【００３３】
前述の明細書では、本発明の具体的な実施形態について説明した。しかし、当業者であれば、下記請求項に定める本発明の範囲を逸脱しない限り、さまざまな修正および変更が可能であることが理解されよう。したがって、本明細書および図は、限定的な意味ではなく、例示的な意味で考慮されるべきであり、かかる修正はすべて本発明の範囲内に含まれるものと意図される。便益、効果、あるいは解決策が発生あるいは顕在化する原因となり得る便益、効果、課題解決策、および任意の要素は、いずれかまたはすべての請求項の決定的、必須、あるいは不可欠な特徴または要素と解釈されるべきでない。本発明は、本願係属中に成されたあらゆる補正を含む添付の請求項と、発行された請求項のすべての均等物とによってのみ定義される。
【図１】
2012514910.tif 000003
【図２】
2012514910.tif 000004
【図３】
2012514910.tif 000005
【図４】
2012514910.tif 000006
【図５】
2012514910.tif 000007
【図６】
2012514910.tif 000008
【図７】
2012514910.tif 000009
【図８】
2012514910.tif 000010
【図９】
2012514910.tif 000011
【図１０】
2012514910.tif 000012
【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
複数のダウンリンクサブフレームの少なくとも１つに対応する肯定／否定（ＡＣＫ／ＮＡＣＫ）応答をアップリンクサブフレームにおいて受信することを含む方法であって、前記応答が、
前記複数のダウンリンクサブフレームのうちの１つを対象とするＡＣＫ／ＮＡＣＫか、
前記複数のダウンリンクサブフレームの少なくとも２つを対象とするバンドルされたＡＣＫ／ＮＡＣＫか、
前記複数のダウンリンクサブフレームの少なくとも２つを対象とする複数のＡＣＫ／ＮＡＣＫに対応する、方法。
【請求項２】
前記バンドルされたＡＣＫ／ＮＡＣＫ応答が、前記複数のダウンリンクサブフレームのうちの少なくとも２つから複数のＡＣＫ／ＮＡＣＫ応答の論理ＡＮＤ演算を実行することを含む、請求項１に記載の方法。
【請求項３】
バンドルされたＡＣＫ／ＮＡＣＫフィードバック構成と複数のＡＣＫ／ＮＡＣＫフィードバック構成との間で選択することをさらに含む、請求項１に記載の方法。
【請求項４】
バンドルされたＡＣＫ／ＮＡＣＫフィードバック構成と複数のＡＣＫ／ＮＡＣＫフィードバック構成とのうちの一方にユーザ機器を割り当てることをさらに含む、請求項１に記載の方法。
【請求項５】
１つのアップリンクサブフレームにある前記バンドルされたＡＣＫ／ＮＡＣＫ応答が、
サブフレームウィンドウ内で動的および半持続性ダウンリンク・スケジューリング割り当てを受信すること、
動的ダウンリンク・スケジューリング割り当てに基づいて物理アップリンク制御チャネル（ＰＵＣＣＨ）上でＡＣＫ／ＮＡＣＫを送信すること
をさらに含む、請求項１に記載の方法。
【請求項６】
複数のＡＣＫ／ＮＡＣＫ応答を使用することが、Ｎビットを送信することをさらに含み、Ｎがアップリンクサブフレームと関連付けられたダウンリンクサブフレームの数である、請求項１に記載の方法。
【請求項７】
方法であって、
１つのアップリンクサブフレームで複数のダウンリンクサブフレームを対象とするバンドリングＡＣＫ／ＮＡＣＫ応答を選択すること、
ダウンリンク・サブフレーム・ウインドウ内で動的および半持続性ダウンリンク・スケジューリング割り当てを受信すること、
動的ダウンリンク・スケジューリング割り当てを使用して物理アップリンク制御チャネル（ＰＵＣＣＨ）上でＡＣＫ／ＮＡＣＫを送信すること
を含む方法。
【請求項８】
最後に受信された動的ダウンリンク・スケジューリング割り当ての最低制御チャネル要素インデックスと、最後に受信された動的ダウンリンク・スケジューリング割り当ての最低制御チャネル要素インデックスと、最後に受信された動的ダウンリンク・スケジューリング割り当てのサブフレーム数とのうちの１つを使用してアップリンクＡＣＫ／ＮＡＣＫ  ＰＵＣＣＨインデックスを選択することをさらに含む、請求項７に記載の方法。
【請求項９】
前記ＰＵＣＣＨでＡＣＫ／ＮＡＣＫを送信することが、前記サブフレームウィンドウ内で受信された異なる数のダウンリンク・スケジューリング割り当ての各々に対応するアップリンクサブフレームで異なるシーケンスを使用することをさらに含む、請求項７に記載の方法。
【請求項１０】
複数のダウンリンクサブフレームを対象とする複数のＡＣＫ／ＮＡＣＫ応答を１つのアップリンクサブフレームにおいて選択することを含む方法であって、
前記複数のサブフレームにおいてＮビットまたは２Ｎビットを送信することであって、Ｎがアップリンクサブフレームと関連付けられたダウンリンクサブフレームの数である、前記Ｎビットまたは２Ｎビットを送信することこと、
物理アップリンク制御チャネル上でチャネル品質インジケータフォーマットを使用して複数のＡＣＫ／ＮＡＣＫ応答を送信すること、
最後に受信された動的ダウンリンク・スケジューリング割り当てのインデックスおよび最低制御チャネル要素に応じて、ユーザ機器ＩＤと所与のパラメータとのうちの一方を使用して、アップリンクＡＣＫ／ＮＡＣＫ物理アップリンク制御チャネル（ＰＵＣＣＨ）インデックスを決定すること
のうちの１つを含む方法。
【請求項１１】
前記複数のサブフレームにおいてＮビット、または２Ｎビットを送信することをさらに含み、Ｎがアップリンクサブフレームと関連付けられたダウンリンクサブフレームの数である、請求項１０に記載の方法。
【国際調査報告】
2012514910.tif 000013
2012514910.tif 000014